(57)【要約】      （修正有）【課題】目地パネルを回動するように設定して、目地部が狭くなるように動いても、目地パネルをスムーズに回動させて損傷するのを確実に防止することができる目地パネル装置を得る。【解決手段】  一方の建物の目地部2側の天井部材4にほぼ水平状態で固定された一方のガイド片7と、この一方のガイド片と対応する他方の建物の目地部側の天井部材にほぼ水平状態で固定された傾斜面に形成された他方のガイド片9と、この他方のガイド片の傾斜面8と、他端部が一方のガイド片の傾斜面6と当接するように傾斜面に形成された目地パネル12と、一端部が一方のガイド片側の目地パネルに枢支され、他端部が他方のガイド片の上部の他方の天井部材に枢支されたアーム17と、このアームを常時目地パネルの他端部を一方のガイド片と当接しほぼ水平状態に保つアーム付勢機構18と、目地部が狭くなるとアーム側へ回動可能に支持する支持紐19とで目地パネル装置を構成する。【選択図】  図６
2005042396.tif 000002
【特許請求の範囲】
【請求項１】
目地部を介して位置する左右の建物の、一方の建物の目地部側の天井部材にほぼ水平状態で固定された先端部の下面が傾斜面に形成された一方のガイド片と、この一方のガイド片と対応する他方の建物の目地部側の天井部材にほぼ水平状態で固定された先端部の上面が、該天井部材の上部位置まで傾斜する傾斜面に形成された他方のガイド片と、この他方のガイド片の傾斜面と一端部が当接するように傾斜面に形成され、他端部が前記一方のガイド片の傾斜面と当接するように傾斜面に形成された前記目地部を覆う目地パネルと、一端部が前記一方のガイド片側の前記目地パネルに枢支され、他端部が前記他方のガイド片の上部の他方の天井部材に枢支されたアームと、このアームを常時前記目地パネルの他端部を前記一方のガイド片と当接し、ほぼ水平状態に保つように付勢するアーム付勢機構と、前記アームの上部寄りの部位に一端部が取付けられ、他端部が前記目地パネルの一端部寄りの部位に取付けられた、通常時には該目地パネルをほぼ水平状態に保持し、目地部が狭くなるとアーム側へ回動可能に支持するワイヤーやロープ等の支持紐とからなることを特徴とする目地パネル装置。
【請求項２】
目地部を介して位置する左右の建物の、一方の建物の目地部側の外壁躯体にほぼ垂直状態で固定された先端部の前面が傾斜面に形成された一方のガイド片と、この一方のガイド片と対応する他方の建物の目地部側の外壁躯体にほぼ垂直状態で固定された先端部の背面が、該外壁躯体の背面位置まで傾斜する傾斜面に形成された他方のガイド片と、この他方のガイド片の傾斜面と一端部が当接するように傾斜面に形成され、他端部が前記一方のガイド片の傾斜面と当接するように傾斜面に形成された前記目地部を覆う目地パネルと、一端部が前記一方のガイド片側の前記目地パネルに枢支され、他端部が前記他方のガイド片の背面の他方の外壁躯体に枢支されたアームと、このアームを常時前記目地パネルの他端部を前記一方のガイド片と当接し、ほぼ垂直状態に保つように付勢するアーム付勢機構と、前記目地プレートの一端部を常時前記他方のガイド片と当接する状態まで付勢する、前記アームと目地プレートとの間に設けられた目地プレート付勢機構とからなることを特徴とする目地パネル装置。
【発明の詳細な説明】
【技術分野】
【０００１】
本発明は目地部を介して位置する左右の建物間の天井目地部や躯体間の壁目地部を覆う目地パネル装置に関する。
【背景技術】
【０００２】
従来、目地パネルの後端部をヒンジ部材で一方の目地部側の躯体に取付け、先端部の傾斜面を目地部が地震等の揺れ動きで狭くなると、他方の目地部側の躯体に取付けた先端部が傾斜面のガイド片によって目地パネルを回動させて、その揺れ動きを吸収する目地パネル装置が考えられている。
【０００３】
従来の目地パネル装置は目地パネルの後端部をヒンジ部材で一方の目地部側の躯体に回動可能に取付けているため、急激に左右の建物が揺れ動いた場合、目地パネルの先端部が他方の目地部側の躯体に衝突し、損傷してしまうという欠点があった。
【特許文献１】特許第３１５４９６３号
【発明の開示】
【発明が解決しようとする課題】
【０００４】
本発明は以上のような従来の欠点に鑑み、目地パネルを回動可能に支持する部分も回動するように設定して、左右の建物が地震等によって急激に目地部が狭くなるように揺れ動いても、目地パネルをスムーズに回動させて損傷するのを確実に防止することができるとともに、平常時には目地部を確実に覆うことができる目地パネル装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して位置する左右の建物の、一方の建物の目地部側の天井部材にほぼ水平状態で固定された先端部の下面が傾斜面に形成された一方のガイド片と、この一方のガイド片と対応する他方の建物の目地部側の天井部材にほぼ水平状態で固定された先端部の上面が、該天井部材の上部位置まで傾斜する傾斜面に形成された他方のガイド片と、この他方のガイド片の傾斜面と一端部が当接するように傾斜面に形成され、他端部が前記一方のガイド片の傾斜面と当接するように傾斜面に形成された前記目地部を覆う目地パネルと、一端部が前記一方のガイド片側の前記目地パネルに枢支され、他端部が前記他方のガイド片の上部の他方の天井部材に枢支されたアームと、このアームを常時前記目地パネルの他端部を前記一方のガイド片と当接し、ほぼ水平状態に保つように付勢するアーム付勢機構と、前記アームの上部寄りの部位に一端部が取付けられ、他端部が前記目地パネルの一端部寄りの部位に取付けられた、通常時には該目地パネルをほぼ水平状態に保持し、目地部が狭くなるとアーム側へ回動可能に支持するワイヤーやロープ等の支持紐とで目地パネル装置を構成している。
【発明の効果】
【０００７】
以上の説明から明らかなように、本発明にあっては次に列挙する効果が得られる。
【０００８】
（１）目地部を介して位置する左右の建物の、一方の建物の目地部側の天井部材にほぼ水平状態で固定された先端部の下面が傾斜面に形成された一方のガイド片と、この一方のガイド片と対応する他方の建物の目地部側の天井部材にほぼ水平状態で固定された先端部の上面が、該天井部材の上部位置まで傾斜する傾斜面に形成された他方のガイド片と、この他方のガイド片の傾斜面と一端部が当接するように傾斜面に形成され、他端部が前記一方のガイド片の傾斜面と当接するように傾斜面に形成された前記目地部を覆う目地パネルと、一端部が前記一方のガイド片側の前記目地パネルに枢支され、他端部が前記他方のガイド片の上部の他方の天井部材に枢支されたアームと、このアームを常時前記目地パネルの他端部を前記一方のガイド片と当接し、ほぼ水平状態に保つように付勢するアーム付勢機構と、前記アームの上部寄りの部位に一端部が取付けられ、他端部が前記目地パネルの一端部寄りの部位に取付けられた、通常時には該目地パネルをほぼ水平状態に保持し、目地部が狭くなるとアーム側へ回動可能に支持するワイヤーやロープ等の支持紐とで構成されているので、目地パネルを一方のガイド片と他方のガイド片の押し圧によって回動させることができるとともに、該目地パネルを支持しているアームも回動させることができる。
したがって、目地部が地震等によって急激に狭くなるように揺れ動いても、目地パネルの回動およびアームの回動によって、その揺れ動きを吸収し、目地パネルが損傷するのを確実に防止することができる。
【０００９】
（２）前記（１）によって、通常時には目地部を目地パネル、一方のガイド片、他方のガイド片とで覆うことができる。
したがって、見苦しくなることなく、目地部を覆うことができる。
【００１０】
（３）前記（１）によって、構造が簡単で、容易に設置することができる。
【００１１】
（４）請求項２も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図６に示す本発明を実施するための最良の第１の形態において、１は目地部２を介して位置する左右の建物３、３間の天井目地部２Ａを覆う本発明の目地パネル装置で、この目地パネル装置１は前記左右の建物３、３の一方の建物３の目地部側の天井部材４にほぼ水平状態で複数本のビス５等によって固定された先端部の下面が傾斜面６に形成された一方のガイド片７と、この一方のガイド片７と対応する他方の建物３の目地部側の天井部材４にほぼ水平状態で複数本のビス５等によって固定された先端部の上面が傾斜面８に形成された他方のガイド片９と、この他方のガイド片９の傾斜面８と一端部が当接するように傾斜面１０に形成され、他端部が前記一方のガイド片７の傾斜面６と当接するように傾斜面１１に形成された、前記天井目地部２Ａを覆う目地パネル１２と、一端部が前記一方のガイド片７側の前記目地パネル１２に固定された支持金具１３に枢支ピン１４で枢支され、他端部が前記他方のガイド片９の上部の他方の天井部材４に固定されたブラケット１５に枢支ピン１６で枢支された小さな寸法では１個、長い寸法では複数個のアーム１７と、このアーム１７を常時前記目地パネル１２の他端部を前記一方のガイド片７と当接し、ほぼ水平状態に保つように付勢するアーム付勢機構１８と、前記アーム１７の上端部寄りの部位に一端部が取付けられ、他端部が前記目地パネル１２の一端部寄りの部位に取付けられた、通常時には該目地パネル１２をほぼ水平状態に保持し、天井目地部２Ａが狭くなるとアーム１７側へ回動可能に支持するワイヤーやロープ等の支持紐１９とで構成されている。
【００１４】
前記アーム付勢機構１８は前記アーム１７の上端部にほぼ直角方向に突出するように一体形成された押し圧片２０と、この押し圧片２０の先端部寄りの部位と前記他方の天井部材４との間に設けられた引張りスプリング２１と、前記押し圧片２０が所定位置より前記他方の天井部材４方向に回動するのを阻止するストッパー２２とで構成されている。
【００１５】
上記構成の目地パネル装置１は、平常時は一方のガイド片７と他方のガイド片９との間に位置する目地パネル１２は、アーム付勢機構１８で付勢されたアーム１７と支持紐１９によってほぼ水平状態で、一方のガイド片７と他方のガイド片９との間の天井目地部２Ａを隙間が生じない状態で覆っている。
【００１６】
地震等によって目地部２が広くなるように左右の建物３、３が揺れ動いた場合には、図５に示すように目地パネル１２の他端部より一方のガイド片７が離れるが、他方の建物３の天井部材４にアーム付勢機構１８と支持紐１９によって取付けられている目地パネル１２は、平常時と同様の状態で、その揺れ動きを吸収することができる。
【００１７】
地震等によって目地部２が狭くなるように急激に左右の建物３、３が揺れ動いた場合には、図６に示すように一方のガイド片７によって、目地パネル１２の他端部が下方へ回動するように押し圧され、一端部が他方のガイド片９の傾斜面８に沿って上方へ移動するとともに、アーム１７の先端部も他方の天井部材４方向へ回動して、その揺れ動きを吸収し、揺れ動きが停止すると、元の状態に自動的に戻る。
［発明を実施するための異なる形態］
【００１８】
次に、図７ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図７ないし図９に示す本発明を実施するための第２の形態において、前記本発明を実施するための最良の第１の形態と主に異なる点は、アーム１７を所定位置で停止させるストッパー２２Ａを形成したブラケット１５Ａを用いた点で、このように構成した目地パネル装置１Ａにしても、前記本発明を実施するための最良の第１の形態と同様な作用効果が得られる。
【００２０】
図１０ないし図１２に示す本発明を実施するための第３の形態において、前記本発明を実施するための最良の第１の形態と主に異なる点は、両端部に枢支ピン２３、２４が取付けられ、天井部材４に固定されたブラケット１５Ｂに該枢支ピン２３によって取付けられた一対のアーム１７Ａ、１７Ａと、この一対のアーム１７Ａ、１７Ａの上端部寄りの部位に両端部が溶接等によって固定された外周部にねじ部２５が形成されたねじ筒２６を備える取付板２７と、このねじ筒２６のねじ部２５と螺合する調整キャップ２８と、前記ねじ筒２６内に挿入されるスプリング支持筒２９と、このスプリング支持筒２９の後端部を上下方向に回動可能に枢支ピン３０で枢支し、他方の天井部材４にビス３１、３１等によって取付けられる取付具３２と、前記スプリング支持筒２９と調整キャップ２８内に収納された付勢スプリング３３と、前記一対のアーム１７Ａ、１７Ａの下部側の一端が所定以上回動するのを阻止する、一端部が一対のアーム１７Ａ、１７Ａの上部寄りの部位に取付けられ、他端部が他方の天井部材４に取付けられたワイヤーやロープ等のストッパー２２Ｂとからなるアーム付勢機構１８Ａを用いた点で、このようなアーム付勢機構１８Ａを用いて構成した目地パネル装置１Ｂにしても、前記本発明を実施するための最良の第１の形態と同様な作用効果が得られる。
【００２１】
図１３ないし図１５に示す本発明を実施するための第４の形態において、前記本発明を実施するための最良の第１の形態と主に異なる点は、左右の建物３、３の一方の建物３の目地部側の外壁躯体３ａにほぼ垂直状態で固定した一方のガイド片７と、この一方のガイド片７と対応する他方の建物３の目地部側外壁躯体３ａにほぼ垂直状態で固定した他方のガイド片９と、この他方のガイド片９と前記一方のガイド片７との間を覆うほぼ垂直状態に配置した目地パネル１２と、この目地パネル１２の背面部位の他方の外壁躯体３ａに取付けられたアーム１７、アーム付勢機構１８および支持紐１９と、前記目地パネル１２の他端部を前記支持紐１９が引張り状態となるように付勢する目地プレート付勢機構３４とを用いた点で、このように左右の建物３、３間の壁目地部２Ｂを覆う目地パネル装置１Ｃにしても、目地部の部位が異なるだけで、前記本発明を実施するための最良の第１の形態と同様な作用効果が得られる。
【００２２】
図１６ないし図１８に示す本発明を実施するための第５の形態において、前記本発明を実施するための第４の形態と主に異なる点は、前記本発明を実施するための第３の形態のアーム付勢機構１８Ａを用いた点で、このように構成した目地パネル装置１Ｄにしても、前記本発明を実施するための第４の形態と同様な作用効果が得られる。
【００２３】
図１９ないし図２１に示す本発明を実施するための第６の形態において、前記本発明を実施するための第５の形態と主に異なる点はアーム付勢機構１８Ｂのねじ筒２６Ａが枢支ピン３５によって取付け板２７Ａに枢支され、このねじ筒２６Ａが上下方向に回動可能に枢支されているアーム付勢機構１８Ｂを用い、目地プレート付勢機構３４Ａにも同様な機構を用いた点で、このように構成した目地パネル装置１Ｅにしても、前記本発明を実施するための第５の形態と同様な作用効果が得られる。
【産業上の利用可能性】
【００２４】
本発明は目地パネル装置を製造したり、設置する産業で利用される。
【図面の簡単な説明】
【００２５】
【図１】本発明を実施するための最良の第１の形態の部分底面図。
【図２】本発明を実施するための最良の第１の形態の部分平面図。
【図３】図２の３−３線に沿う拡大断面図。
【図４】本発明を実施するための最良の第１の形態のアームおよびアーム付勢機構の説明図。
【図５】本発明を実施するための最良の第１の形態の目地部が広くなった動作説明図。
【図６】本発明を実施するための最良の第１の形態の目地部が狭くなった動作説明図。
【図７】本発明を実施するための第２の形態の部分平面図。
【図８】図７の８−８線に沿う拡大断面図。
【図９】本発明を実施するための第２の形態のブラケットの説明図。
【図１０】本発明を実施するための第３の形態の部分平面図。
【図１１】図１０の１１−１１線に沿う拡大断面図。
【図１２】本発明を実施するための第３の形態のアームおよびアーム付勢機構の説明図。
【図１３】本発明を実施するための第４の形態の部分正面図。
【図１４】本発明を実施するための第４の形態の部分背面図。
【図１５】図１３の１５−１５線に沿う拡大断面図。
【図１６】本発明を実施するための第５の形態の部分正面図。
【図１７】本発明を実施するための第５の形態の部分背面図。
【図１８】図１６の１８−１８線に沿う拡大断面図。
【図１９】本発明を実施するための第６の形態の部分正面図。
【図２０】本発明を実施するための第６の形態の部分背面図。
【図２１】図１９の２１−２１線に沿う拡大断面図。
【符号の説明】
【００２６】
１、１Ａ、１Ｂ、１Ｃ、１Ｄ、１Ｅ：目地パネル装置、
２：目地部、            ２Ａ：天井目地部、
３：建物、              ４：天井部材、
５：ビス、              ６：傾斜面、
７：一方のガイド片、    ８：傾斜面、
９：他方のガイド片、    １０：傾斜面、
１１：傾斜面、          １２：目地パネル、
１３：支持金具、        １４：枢支ピン、
１５、１５Ａ、１５Ｂ：ブラケット、
１６：枢支ピン、        １７、１７Ａ：アーム、
１８、１８Ａ：アーム付勢機構、
１９：支持紐、          ２０：押し圧片、
２１：引張りスプリング、
２２、２２Ａ、２２Ｂ：ストッパー、
２３：枢支ピン、        ２４：枢支ピン、
２５：ねじ部、          ２６、２６Ａ：ねじ筒、
２７、２７Ａ：取付板、  ２８：調整キャップ、
２９：スプリング支持筒、３０：枢支ピン、
３１：ビス、            ３２：取付具、
３３：付勢スプリング、
３４、３４Ａ：目地プレート付勢機構、
３５：枢支ピン。
【図１】
2005042396.tif 000003
【図２】
2005042396.tif 000004
【図３】
2005042396.tif 000005
【図４】
2005042396.tif 000006
【図５】
2005042396.tif 000007
【図６】
2005042396.tif 000008
【図７】
2005042396.tif 000009
【図８】
2005042396.tif 000010
【図９】
2005042396.tif 000011
【図１０】
2005042396.tif 000012
【図１１】
2005042396.tif 000013
【図１２】
2005042396.tif 000014
【図１３】
2005042396.tif 000015
【図１４】
2005042396.tif 000016
【図１５】
2005042396.tif 000017
【図１６】
2005042396.tif 000018
【図１７】
2005042396.tif 000019
【図１８】
2005042396.tif 000020
【図１９】
2005042396.tif 000021
【図２０】
2005042396.tif 000022
【図２１】
2005042396.tif 000023